(57)【要約】【課題】部品点数を低減できかつ施工性を向上できる太陽光パネル架台を備えた太陽電池アレイを提供すること。【解決手段】太陽電池アレイ１は、複数の太陽光パネル５０と、複数の太陽光パネル５０を支持する太陽光パネル架台３０と、を備える太陽電池アレイ１であって、太陽光パネル架台３０は、屋根体１３に固定されると共に隣接する太陽光パネル５０の端部が上部に配置される支持部材３１と、一体部材で形成され、支持部材３１の上部において隣接する太陽光パネル５０の間に配置され、支持部材３１にスライド可能に取り付けられると共に、上面に締結穴３２１ｂを有するスペーサ部材３２と、スペーサ部材３２の上部に配置され、スペーサ部材３２の締結穴３２１ｂにおいて締結部材３５により固定され、支持部材３１に配置された太陽光パネル５０の端部を上方側から押さえる押さえ部材３４と、を有する。【選択図】図３
2019173492.tif 000002
【特許請求の範囲】
【請求項１】
複数の太陽光パネルと、複数の太陽光パネルを支持する太陽光パネル架台と、を備える太陽電池アレイであって、
前記太陽光パネル架台は、
屋根体に固定されると共に隣接する前記太陽光パネルの端部が上部に配置される支持部材と、
一体部材で形成され、前記支持部材の上部において隣接する前記太陽光パネルの間に配置され、前記支持部材にスライド可能に取り付けられると共に、上面に締結穴を有するスペーサ部材と、
前記スペーサ部材の上部に配置され、前記スペーサ部材の前記締結穴において締結部材により固定され、前記支持部材に配置された前記太陽光パネルの端部を上方側から押さえる押さえ部材と、を有する太陽電池アレイ。
【請求項２】
前記スペーサ部材は、中空部分を有する形材により形成される請求項１に記載の太陽電池アレイ。
【請求項３】
前記中空部分は、前記屋根体の傾斜方向に貫通する請求項２に記載の太陽電池アレイ。
【発明の詳細な説明】
【技術分野】
【０００１】
本発明は、太陽光パネルと、太陽光パネルを支持する太陽光パネル架台と、を備える太陽電池アレイに関する。
【背景技術】
【０００２】
従来、太陽光パネルと、太陽光パネルを支持する太陽光パネル架台と、を備える太陽電池アレイが知られている（例えば、特許文献１参照）。特許文献１に記載の太陽光パネル架台は、太陽光パネルを取り付ける際に、太陽光パネルの端部を挟み込んで固定する。
【先行技術文献】
【特許文献】
【０００３】
【特許文献１】特開２００３−９６９８７号公報
【発明の概要】
【発明が解決しようとする課題】
【０００４】
特許文献１に記載の太陽光パネル架台は、太陽光パネルの端部を挟み込む構成において、ナットやボルト、隣接する太陽光パネルの間に間隔を設けるためのスペーサ部材等が別部材で構成されるため、部品点数が多く、施工に時間が掛かっていた。
よって、太陽光パネルを固定する構成において、部品点数を低減でき、かつ、施工性を向上させることが望まれる。
【０００５】
本発明は、部品点数を低減できかつ施工性を向上できる太陽光パネル架台を備えた太陽電池アレイを提供することを目的とする。
【課題を解決するための手段】
【０００６】
本発明は、複数の太陽光パネル（例えば、後述の太陽光発電パネル５０）と、複数の太陽光パネルを支持する太陽光パネル架台（例えば、後述の太陽光パネル架台２０、中間支持台３０）と、を備える太陽電池アレイ（例えば、後述の太陽光発電アレイ１）であって、前記太陽光パネル架台は、屋根体に固定されると共に隣接する前記太陽光パネルの端部が上部に配置される支持部材（例えば、後述の中間支持金具３１）と、一体部材で形成され、前記支持部材の上部において隣接する前記太陽光パネルの間に配置され、前記支持部材にスライド可能に取り付けられると共に、上面に締結穴（例えば、後述の雌ネジ３２１ｂ）を有するスペーサ部材（例えば、後述の中間スペーサ固定金具３２）と、前記スペーサ部材の上部に配置され、前記スペーサ部材の前記締結穴において締結部材（例えば、後述のボルト部材）により固定され、前記支持部材に配置された前記太陽光パネルの端部を上方側から押さえる押さえ部材（例えば、後述の中間パネル押さえ金具３４）と、を有する太陽電池アレイに関する。
【０００７】
また、前記スペーサ部材は、中空部分を有する形材により形成されることが好ましい。
【０００８】
また、前記中空部分は、前記屋根体の傾斜方向に貫通することが好ましい。
【発明の効果】
【０００９】
本発明によれば、部品点数を低減できかつ施工性を向上できる太陽光パネル架台を備えた太陽電池アレイを提供することができる。
【図面の簡単な説明】
【００１０】
【図１】本発明の一実施形態に係る太陽電池アレイを示す側面図である。
【図２】太陽光パネル架台の中間支持台を示す側面図である。
【図３】太陽光パネル架台の中間支持台を棟側から見た図である。
【図４】太陽光パネル架台の中間支持台を示す斜視図である。
【図５】太陽光パネル架台の中間支持台を示す分解斜視図である。
【図６】太陽光パネル架台の端部支持台を示す側面図である。
【図７】太陽光パネル架台の端部支持台を軒側から見た図である。
【図８】太陽光パネル架台の端部支持台を示す斜視図である。
【図９】太陽光パネル架台の端部支持台を示す分解斜視図である。
【図１０】中間支持台及び端部支持台を屋根体に設置する手順を説明するための斜視図である。
【発明を実施するための形態】
【００１１】
以下、本発明の一実施形態に係る太陽光パネル架台を含む太陽電池アレイ１について、図面を参照しながら詳細に説明する。図１は、本発明の一実施形態に係る太陽電池アレイ１を示す側面図である。図２は、太陽光パネル架台２０の中間支持台３０を示す側面図である。図３は、太陽光パネル架台２０の中間支持台３０を棟側から見た図である。図４は、太陽光パネル架台２０の中間支持台３０を示す斜視図である。図５は、太陽光パネル架台２０の中間支持台３０を示す分解斜視図である。図６は、太陽光パネル架台２０の端部支持台４０を示す側面図である。図７は、太陽光パネル架台２０の端部支持台４０を軒側から見た図である。図８は、太陽光パネル架台２０の端部支持台４０を示す斜視図である。図９は、太陽光パネル架台２０の端部支持台４０を示す分解斜視図である。
【００１２】
本実施形態の太陽電池アレイ１は、図１に示すように、太陽光パネル支持構造１０と、複数の太陽光発電パネル５０（太陽光パネル）と、を備える。太陽光パネル支持構造１０は、屋根体１３に、太陽光発電パネル５０を設置する構造である。複数の太陽光発電パネル５０は、屋根体１３の傾斜方向に沿って配置される。屋根体１３は、上方側に配置される棟側から、下方側に配置される軒側まで下り傾斜で傾斜する。
【００１３】
太陽光パネル支持構造１０は、複数の垂木１１と、下地材１２と、屋根体１３を構成する複数のスレート１３１（屋根材）と、太陽光パネル架台２０と、を備える。複数の垂木１１は、それぞれ、屋根体１３の傾斜方向に延びる。複数の垂木１１は、屋根体１３の傾斜方向に直交する方向に離間して配置される。
【００１４】
下地材１２は、図１に示すように、野地板１２１と、防水シート１２２と、を備える。下地材１２は、屋根体１３を構成する複数のスレート１３１の下地となる。
【００１５】
野地板１２１は、建物の屋根の骨組みである複数の垂木１１の上に張られて配置される。野地板１２１は、所定の傾斜角度で傾斜して傾斜方向に延びる。野地板１２１の傾斜角度は、建物の屋根の傾斜角度となる。本実施形態においては、屋根の傾斜方向は、野地板１２１の傾斜方向と一致する。野地板１２１としては、合板等の板材が用いられる。
【００１６】
防水シート１２２は、野地板１２１上に配置される。この防水シート１２２により、屋根体１３を備える屋根構造の防水性が高められる。防水シート１２２としては、板紙にアスファルトを含浸させたアスファルトルーフィング等の防水材料が用いられる。
【００１７】
屋根体１３は、下地材１２の上方に配置される。屋根体１３は、複数のスレート１３１（屋根材）により構成される。本実施形態においては、スレート１３１は、平面状の板材により形成される。複数のスレート１３１は、防水シート１２２上において、所定の重なり幅でオーバーラップされて連続して傾斜方向に並んで配置されている。複数のスレート１３１は、スレート１３１の棟側（上方側）の端部側の上面に、別のスレート１３１の軒側（下方側）の端部側が重なって、連続して配置されている。屋根体１３の複数のスレート１３１は、働き幅ＬＳ（図２参照）を有する。複数のスレート１３１は、それぞれ、野地板１２１及び垂木１１に固定されている。
【００１８】
屋根体１３における２枚のスレート１３１が重なった部分の境界には、図２及び図３に示すように、棟側（上方側）のスレート１３１が上段に位置し、かつ、軒側（下方側）のスレート１３１が下段に位置することにより、段差１４が形成される。段差１４は、上方側のスレート１３１の傾斜方向の軒側の端面により形成され、スレート１３１の上面における屋根体１３の傾斜方向の軒側の端部から立ち下がるように野地板１２１側に延びる。
【００１９】
太陽光パネル架台２０は、図１に示すように、屋根体１３上に配置される。太陽光パネル架台２０は、太陽光発電パネル５０を支持する。太陽光パネル架台２０は、中間支持台３０（第１支持部）と、端部支持台４０（第２支持部）と、を有する。中間支持台３０は、太陽光発電パネル５０における軒側の端部及び棟側の端部を支持する。端部支持台４０は、軒側の端部側に配置される太陽光発電パネル５０における軒側の端部を支持する。
【００２０】
端部支持台４０は、屋根体１３の傾斜方向の軒側の端部側に配置される。中間支持台３０は、屋根体１３の傾斜方向において、端部支持台４０の棟側に、複数並んで配置される。
【００２１】
中間支持台３０について説明する。
中間支持台３０は、図２に示すように、屋根体１３の傾斜方向において、複数のスレート１３１における所定位置の段差１４から、屋根体１３の軒側に所定距離Ｌａの位置に配置される。中間支持台３０は、所定位置の段差１４の一段下の軒側に配置される段差１４を跨いで配置される。
【００２２】
中間支持台３０は、図２〜図５に示すように、中間支持金具３１（支持部材）と、中間スペーサ固定金具３２（スペーサ部材）と、アース金具３３と、中間パネル押さえ金具３４（押さえ部材）と、ボルト部材３５（締結部材）と、棟側脚部３６と、軒側脚部３７と、を有する。
【００２３】
中間支持金具３１は、図４及び図５に示すように、屋根体１３の傾斜方向に延びる。中間支持金具３１は、上方が開放した枠状に形成される。中間支持金具３１は、上方が開放した断面形状がＵ字状のＵ字部材３１１と、Ｕ字部材３１１の上端部において屋根体１３に直交する方向に離間して対向して配置される一対の上端溝３１２と、Ｕ字部材３１１の底板部３１１ａの下面において屋根体１３に直交する方向に離間して対向して配置される一対の下部溝３１３と、を有する。
【００２４】
Ｕ字部材３１１は、屋根体１３の傾斜方向に略平行に延びて形成され、後述の棟側脚部３６及び軒側脚部３７を介して、屋根体１３の上面に固定される。Ｕ字部材３１１の上面（上部）には、隣接する太陽光発電パネル５０の端部が載置（配置）される。Ｕ字部材３１１の上面は、太陽光発電パネル５０の端部が載置される載置面３１１ｂを構成する。
【００２５】
一対の上端溝３１２は、Ｕ字部材３１１の上端部において屋根体１３に直交する方向の内側が開放して互いに対向して配置される。一対の上端溝３１２は、Ｕ字部材３１１の上端部において、中間支持台３０の長手方向の全域に形成される。一対の上端溝３１２には、後述する中間スペーサ固定金具３２の一対の底部延出板３２２（後述）が挿入される。これにより、中間スペーサ固定金具３２は、一対の上端溝３１２に沿って、中間支持金具３１の長手方向に移動可能な構成となる。
【００２６】
一対の下部溝３１３は、Ｕ字部材３１１の底板部３１１ａの下面において屋根体１３に直交する方向の内側が開放して互いに対向して配置される。一対の下部溝３１３は、Ｕ字部材３１１の底板部３１１ａの下面において、中間支持台３０の長手方向の全域に形成される。一対の下部溝３１３には、Ｕ字部材３１１の棟側の端部において棟側脚部３６の一対の取付突出板３６２が挿入されて取り付けられ、Ｕ字部材３１１の軒側の端部において軒側脚部３７の一対の取付突出板３７２が挿入されて取り付けられる。
【００２７】
棟側脚部３６及び軒側脚部３７は、図２に示すように、屋根体１３の傾斜方向に離間して配置される。中間支持台３０は、棟側脚部３６及び軒側脚部３７が、屋根体１３の段差１４を跨いで屋根体１３に配置される。屋根体１３の傾斜方向において、棟側脚部３６の棟側の端部３６ｔから軒側脚部３７の棟側の端部３７ｔまでの長さＬ１は、スレート１３１の働き幅ＬＳと同じか若しくはそれよりも長く形成される（Ｌ１≧ＬＳ）。
【００２８】
棟側脚部３６及び軒側脚部３７は、屋根体１３の段差１４を跨ぐことが可能なように、高さ方向に所定の長さ延びて形成されている。本実施形態においては、屋根体１３において複数のスレート１３１が重ねられることで段差１４が形成されているため、段差１４を挟んで棟側及び軒側において屋根体１３の高さが異なっている。そのため、本実施形態では、棟側脚部３６及び軒側脚部３７の高さ方向の長さを異らせて形成している。具体的には、棟側脚部３６の高さ方向の長さＨ１は、軒側脚部３７の高さ方向の長さＨ２よりも長く形成されている。これにより、中間支持金具３１のＵ字部材３１１の載置面３１ｂの傾斜の傾きを、屋根体１３の傾斜角度に沿う角度に近づけるように調整できる。
【００２９】
棟側脚部３６は、図５に示すように、屋根体１３の傾斜方向に貫通する中空の方形筒状の方形胴部３６１と、方形胴部３６１の上端部から屋根体１３の傾斜方向に直交する方向の外側の両端に突出する一対の取付突出板３６２と、方形胴部３６１の下端部から屋根体１３の傾斜方向に直交する方向の外側の両端に突出する一対の延出板３６３と、を有する。棟側脚部３６は、Ｕ字部材３１１の棟側の端部側において、上部に形成された一対の取付突出板３６２が、Ｕ字部材３１１の棟側において一対の下部溝３１３に挿入された状態で、方形胴部３６１の上面においてＵ字部材３１１の下面に固定されると共に、一対の延出板３６３において屋根体１３に固定される。
【００３０】
軒側脚部３７は、図５に示すように、屋根体１３の傾斜方向に貫通する中空の方形筒状の方形胴部３７１と、方形胴部３７１の上端部から屋根体１３の傾斜方向に直交する方向の外側の両端に突出する一対の取付突出板３７２と、方形胴部３７１の下端部から屋根体１３の傾斜方向に直交する方向の外側の両端に突出する一対の延出板３７３と、を有する。軒側脚部３７は、Ｕ字部材３１１の軒側の端部側において、上部に形成された一対の取付突出板３７２が、Ｕ字部材３１１の軒側において一対の下部溝３１３に挿入された状態で、方形胴部３７１の上面においてＵ字部材３１１の下面に固定されると共に、一対の取付突出板３７２において屋根体１３に固定される。
【００３１】
中間スペーサ固定金具３２は、図５に示すように、断面が方形筒状の中空のホロー部３２１と、ホロー部３２１の底面３２１ｃから屋根体１３に直交する方向の外側に延出する一対の底部延出板３２２とにより、一体部材で形成される。ホロー部３２１は、中空部分を有する形材により形成され、中空部分は、屋根体１３の傾斜方向に貫通する。中間スペーサ固定金具３２は、図２及び図４に示すように、中間支持金具３１のＵ字部材３１１の上部において、隣接する太陽光発電パネル５０の間に配置される。そのため、中間スペーサ固定金具３２は、隣接する太陽光発電パネル５０間のスペーサとして機能する。
【００３２】
ホロー部３２１の上面板３２１ａは、図５に示すように、ホロー部３２１の側面板及び底面板よりも肉厚に形成されている。ホロー部３２１の上面板３２１ａ（上面）の中央には、厚さ方向に貫通する雌ネジ３２１ｂ（締結穴）が形成される。雌ネジ３２１ｂは、中間スペーサ固定金具３２に中間パネル押さえ金具３４（後述）を固定する場合に、ボルト部材３５（締結部材）の先端がねじ込まれて固定される。
【００３３】
中間スペーサ固定金具３２に中間パネル押さえ金具３４を固定する場合には、ボルト部材３５（締結部材）が中間パネル押さえ金具３４の貫通穴３４１ａを通された状態で、ボルト部材３５の頭部が中間パネル押さえ金具３４の貫通穴３４１ａの周縁に係止された状態で、雌ネジ３２１ｂには、ボルト部材３５の先端がねじ込まれて固定される。雌ネジ３２１ｂは、ボルト部材３５の先端を固定する固定部材として機能する。雌ネジ３２１ｂがボルト部材３５の先端を固定する固定部材として機能するため、ナットなどの部材を必要としない。
【００３４】
一対の底部延出板３２２は、中間支持金具３１の一対の上端溝３１２に挿入される。これにより、中間スペーサ固定金具３２は、一対の底部延出板３２２が、中間支持金具３１の一対の上端溝３１２に挿入されることで、中間支持金具３１にスライド可能に取り付けられる。
【００３５】
アース金具３３は、開口部３３１を有する外形が方形状の平板状に形成される。開口部３３１は、中間スペーサ固定金具３２のホロー部３２１を挿入可能な大きさに形成される。アース金具３３は、一対の上面突起３３２と、一対の下面突起３３３と、を有する。
【００３６】
一対の上面突起３３２が太陽光発電パネル５０の下面に当接することで、アース金具３３は、太陽光発電パネル５０に導通される。一対の下面突起３３３が中間支持金具３１の上面に当接することで、アース金具３３は、中間支持金具３１に導通される。アース金具３３は、中間スペーサ固定金具３２を中間支持金具３１に取り付けた状態において、開口部３３１が中間スペーサ固定金具３２のホロー部３２１に挿入されることで、中間スペーサ固定金具３２に取り付けられる。
【００３７】
中間パネル押さえ金具３４は、中間スペーサ固定金具３２の上面に固定される。中間パネル押さえ金具３４は、屋根体１３の傾斜方向に直交する方向に延びて形成される。
中間パネル押さえ金具３４は、屋根体１３の傾斜方向に直交する方向に所定長さ延びる断面Ｕ字状のＵ字部材３４１と、Ｕ字部材３４１の棟側の上端から棟側に延びる棟側突出片３４２と、Ｕ字部材３４１の軒側の上端から軒側に延びる軒側突出片３４３と、を有する。
【００３８】
Ｕ字部材３４１の底面には、上下方向に貫通する貫通穴３４１ａが形成される。中間パネル押さえ金具３４は、Ｕ字部材３４１において、ボルト部材３５（締結部材）が貫通穴３４１ａを通された状態で、ボルト部材３５の頭部がＵ字部材３４１の貫通穴３４１ａの周縁に係止されて、ボルト部材３５の先端が、中間スペーサ固定金具３２の雌ネジ３２１ｂにねじ込まれることで固定される。
【００３９】
棟側突出片３４２及び軒側突出片３４３は、中間支持金具３１の上面にアース金具３３を介して載置された太陽光発電パネル５０の端部の上方に配置されて、太陽光発電パネル５０の端部を上方側から押さえる。
【００４０】
以上のように構成される中間支持台３０は、屋根体１３のスレート１３１の段差１４を跨いで設置される。また、中間支持台３０において、中間スペーサ固定金具３２の一対の底部延出板３２２が中間支持金具３１の一対の上端溝３１２に挿入されることで、中間スペーサ固定金具３２は、中間支持金具３１の一対の上端溝３１２に沿って、屋根体１３の傾斜方向にスライド移動可能な状態となる。中間スペーサ固定金具３２には、ボルト部材３５により、中間パネル押さえ金具３４が固定される。中間パネル押さえ金具３４は、太陽光発電パネル５０の端部を押さえる。
【００４１】
端部支持台４０について説明する。
端部支持台４０は、図６に示すように、屋根体１３の傾斜方向の軒側の端部側において、屋根体１３の段差１４を跨がずに配置される。端部支持台４０は、屋根体１３の傾斜方向の長さＬ２が、スレート１３１の働き幅ＬＳよりも短く形成され、中間支持台３０の長さＬ１（図２参照）よりも短く形成される。
【００４２】
端部支持台４０は、図６〜図９に示すように、端部支持金具４１と、端部固定金具４２と、アース金具４３と、端部パネル押さえ金具４４と、ボルト部材４５と、支持台端部規制部材４８と、を有する。
【００４３】
端部支持金具４１は、図９に示すように、屋根体１３の傾斜方向に延びる。端部支持金具４１は、上方が開放した枠状に形成される。端部支持金具４１は、上方が開放した断面形状がＵ字状のＵ字部材４１１と、Ｕ字部材４１１の上端部において屋根体１３に直交する方向に離間して対向して配置される一対の上端溝４１２と、Ｕ字部材４１１の下端部において屋根体１３に直交する方向の外側に延びる一対の延出板４１３と、を有する。端部支持金具４１の下方側の部分は、端部支持台４０の脚部でもある。
【００４４】
図１に示すように、端部支持金具４１の底面から太陽光発電パネル５０の載置面４１１ｂまでの高さＨｃ（図６参照）は、棟側脚部３６（棟側）における中間支持金具３１の底面から太陽光発電パネル５０の載置面３１１ｂまでの高さＨａ（図２参照）よりも高く、かつ、軒側脚部３７（軒側）における中間支持金具３１の底面から太陽光発電パネル５０の載置面３１１ｂまでの高さＨｂ（図２参照）よりも低く形成される（Ｈａ＜Ｈｃ＜Ｈｂ）。これにより、端部支持台４０と中間支持台３０との間に太陽光発電パネル５０を配置する場合に、屋根体１３の傾斜の傾き角度に対応して、端部支持台４０と中間支持台３０との高さ方向の差を少なくして、端部支持台４０及び中間支持台３０における太陽光発電パネル５０のガタツキを低減できる。
【００４５】
Ｕ字部材４１１は、屋根体１３の傾斜方向に略平行に延びて形成され、一対の延出板４１３において、屋根体１３の上面に固定される。Ｕ字部材４１１の上面（上部）には、軒側に配置される太陽光発電パネル５０の軒側の端部が載置（配置）される。Ｕ字部材４１１の上面は、太陽光発電パネル５０の端部が載置される載置面４１１ｂを構成する。
【００４６】
一対の上端溝４１２は、Ｕ字部材４１１の上端部において屋根体１３に直交する方向において内側が開放して互いに対向して配置される。一対の上端溝４１２は、Ｕ字部材４１１の上端部において、端部支持台４０の長手方向の全域に形成される。一対の上端溝４１２には、後述する端部固定金具４２の一対の底部延出板４２２（後述）が挿入される。これにより、端部固定金具４２は、一対の上端溝４１２に沿って、端部支持金具４１の長手方向に移動可能な構成となる。
【００４７】
端部固定金具４２は、前述の中間スペーサ固定金具３２と同様の形状で形成され、図９に示すように、断面が矩形状の中空のホロー部４２１と、ホロー部４２１の底部４２１ｃから屋根体１３に直交する方向の外側に延出する一対の底部延出板４２２とにより、一体部材で形成されることで構成される。ホロー部４２１は、中空部分を有する形材により形成され、中空部分は、屋根体１３の傾斜方向に貫通する。端部固定金具４２は、図６及び図８に示すように、端部支持金具４１のＵ字部材４１１の上部において、太陽光発電パネル５０の軒側に配置される。
【００４８】
ホロー部４２１の上面板４２１ａは、ホロー部４２１の側面板及び底面板よりも肉厚に形成されている。ホロー部４２１の上面板４２１ａの中央には、厚さ方向に貫通する雌ネジ４２１ｂ（締結穴）が形成される。雌ネジ４２１ｂは、端部固定金具４２に端部パネル押さえ金具４４（後述）を固定する場合に、ボルト部材４５（締結部材）の先端がねじ込まれて固定される。
【００４９】
端部固定金具４２に端部パネル押さえ金具４４を固定する場合には、ボルト部材４５（締結部材）が端部パネル押さえ金具４４の貫通穴４４１ａを通された状態で、ボルト部材４５の頭部が端部パネル押さえ金具４４の貫通穴４４１ａの周縁に係止された状態で、雌ネジ４２１ｂには、ボルト部材４５の先端がねじ込まれて固定される。雌ネジ４２１ｂは、ボルト部材４５の先端を固定する固定部材として機能する。雌ネジ４２１ｂがボルト部材４５の先端を固定する固定部材として機能するため、ナットなどの部材を必要としない。
【００５０】
一対の底部延出板４２２は、端部支持金具４１の一対の上端溝４１２に挿入される。これにより、端部固定金具４２は、一対の底部延出板４２２が端部支持金具４１の一対の上端溝４１２に挿入されることで、端部支持金具４１にスライド可能に取り付けられる。
【００５１】
アース金具４３は、前述のアース金具３３と同様の構成である。そのため、アース金具４３の詳細な説明を省略する。アース金具４３は、開口部４３１を有すると共に、一対の上面突起４３２と、一対の下面突起４３３と、を有する。
【００５２】
端部パネル押さえ金具４４は、端部支持金具４１の上面に固定される。端部パネル押さえ金具４４は、屋根体１３の傾斜方向に直交する方向に延びて形成される。
端部パネル押さえ金具４４は、屋根体１３の傾斜方向に直交する方向に所定長さ延びる断面Ｌ字状のＬ字部材４４１と、Ｌ字部材４４１の棟側の上端から棟側に延びる棟側突出片４４２と、Ｌ字部材４４１の軒側の端部から下方に突出する端部下方突起４４３と、Ｌ字部材４４１の軒側の端部よりも棟側の下面から下方に延びる下方延在板４４４と、下方延在板４４４の下端部から軒側に突出する軒側突起４４５と、を有する。
【００５３】
Ｌ字部材４４１の底面には、図９に示すように、上下方向に貫通する貫通穴４４１ａが形成される。端部パネル押さえ金具４４は、Ｌ字部材４４１において、ボルト部材４５（締結部材）が貫通穴４４１ａを通された状態で、ボルト部材４５の頭部がＬ字部材４４１の貫通穴４４１ａの周縁に係止されて、ボルト部材４５の先端が、端部固定金具４２の雌ネジ４２１ｂにねじ込まれることで固定される。
【００５４】
棟側突出片４４２は、図９に示すように、端部支持金具４１の上面にアース金具４３を介して載置された太陽光発電パネル５０の軒側の端部の上方に配置されて、太陽光発電パネル５０の軒側の端部を上方側から押さえる。
【００５５】
端部下方突起４４３、下方延在板４４４及び軒側突起４４５には、図６に示すように、端部パネル押さえ金具４４に軒カバー部材５５を取り付ける際に、軒カバー部材５５の中空係止枠部５７（後述）が係止される。
【００５６】
支持台端部規制部材４８は、図８及び図９に示すように、端部支持台４０の軒側の端部に固定される。支持台端部規制部材４８は、上下方向に延びる端面板４８１と、屋根体１３の傾斜方向に直交する方向の両端部において端面板４８１から上方側に突出する一対の突出規制片４８２と、屋根体１３の傾斜方向に直交する方向の中央において端面板４８１の上端部から棟側に延びる上面板４８３と、を有する。
【００５７】
支持台端部規制部材４８の一対の突出規制片４８２は、図６に示すように、軒カバー部材５５の中空係止枠部５７の下部凸部５７２を係止して、端部支持台４０の軒側において、端部固定金具４２が軒側に移動しないように規制する。
【００５８】
軒カバー部材５５は、図６に示すように、端部支持台４０の軒側に取り付けられる。軒カバー部材５５は、屋根体１３の傾斜方向に直交する方向に延びて形成される。軒カバー部材５５が、屋根体１３の軒先を覆ことで、軒先の意匠性を高めることができる。軒カバー部材５５は、図６及び図８に示すように、軒側に向かうに従って下り傾斜で傾斜する傾斜板５６と、傾斜板５６の棟側の上端に配置される中空係止枠部５７と、を有する。
【００５９】
中空係止枠部５７は、中空状に形成され、上部に形成される係止溝５７１と、下部において下方に突出する下部凸部５７２と、下部凸部５７２の棟側の角部に形成される凹部５７３と、凹部５７３の上部側において棟側に突出する棟側凸部５７４と、を有する。軒カバー部材５５は、中空係止枠部５７が、端部下方突起４４３、下方延在板４４４、軒側突起４４５及び支持台端部規制部材４８に係止された状態で固定されている。
【００６０】
軒カバー部材５５の長手方向の両端部には、図８に示すように、軒カバー端部キャップ５８が取り付けられる。軒カバー端部キャップ５８は、軒カバー部材５５の中空係止枠部５７の端部を覆うように配置される。
【００６１】
以上のように構成される端部支持台４０は、端部支持金具４１が屋根体１３のスレート１３１の段差１４を跨がずにスレート１３１の上面に設置される。また、端部支持台４０において、端部固定金具４２の一対の底部延出板４２２が端部支持金具４１の一対の上端溝４１２に挿入されることで、端部固定金具４２は、端部支持台４０の軒側の端部において支持台端部規制部材４８により軒側に移動しないように規制された状態で、端部支持金具４１の一対の上端溝４１２に沿って、屋根体１３の傾斜方向にスライド移動可能となる。端部固定金具４２には、ボルト部材４５により、端部パネル押さえ金具４４が固定される。端部パネル押さえ金具４４は、太陽光発電パネル５０の端部を押さえる。
【００６２】
次に、屋根体１３に太陽光パネル架台２０を取り付ける手順について説明する。図１０は、中間支持台３０及び端部支持台４０を屋根体１３に設置する手順を説明するための斜視図である。
本実施形態では、屋根体１３には、複数のスレート１３１が傾斜方向に並んで配置されることで段差１４が形成されている。
【００６３】
まず、端部支持台４０の取り付け手順について説明する。
屋根体１３の傾斜方向の軒側の端部において、図１０に示すように、端部支持台４０を屋根体１３の段差１４を跨がずに配置する。具体的には、本実施形態では、端部支持台４０を、屋根体１３の複数のスレート１３１における軒側の段差１４から、屋根体１３の傾斜方向の軒側に例えば所定距離Ｌｂの位置に配置する。これにより、端部支持台４０を、屋根体１３の段差１４を跨がない位置において、スレート１３１の平面部分に取り付けることができる。端部支持台４０の屋根体１３の傾斜方向の長さＬ２が、スレート１３１の働き幅ＬＳの長さよりも短く形成されるため、端部支持台４０をスレート１３１の平面部分に容易に取り付けることができる。
【００６４】
ここで、図８及び図９に示すように、端部支持台４０においては、端部パネル押さえ金具４４は、ボルト部材４５により、端部固定金具４２に仮止め固定されている。端部固定金具４２は、端部支持台４０の軒側の端部において支持台端部規制部材４８により軒側に移動しないように規制された状態で、端部支持金具４１の一対の上端溝４１２に沿って、屋根体１３の傾斜方向にスライド移動可能に端部支持金具４１に取り付けられている。
【００６５】
また、端部支持台４０の軒側には、軒カバー部材５５が取り付けられる。軒カバー部材５５における屋根体１３の傾斜方向に直交する両端部には、軒カバー端部キャップ５８が取り付けられる。
【００６６】
次に、中間支持台３０を取り付ける手順について説明する。
中間支持台３０を、図１０に示すように、屋根体１３の複数のスレート１３１における所定位置の段差１４から、屋根体１３の傾斜方向の軒側に所定距離Ｌａの位置に配置する。これにより、複数の中間支持台３０を屋根体１３の傾斜方向に並べて配置する際において、中間支持台３０を所定の段差１４から屋根体１３の軒側に所定距離Ｌａの距離に位置させるだけで、中間支持台３０を必ず屋根体１３の一段下の軒側の段差１４を跨ぐ位置に配置することができる。よって、中間支持台３０の施工性を向上できる。
【００６７】
ここで、図４及び図５に示すように、中間支持台３０においては、中間パネル押さえ金具３４は、ボルト部材３５により、中間スペーサ固定金具３２に仮止め固定されている。中間スペーサ固定金具３２は、中間支持金具３１の一対の上端溝３１２に沿って、屋根体１３の傾斜方向にスライド移動可能に中間支持金具３１に取り付けられている。
【００６８】
続けて、端部支持台４０及び中間支持台３０を屋根体１３に設置した後に、図１０に示すように、太陽光発電パネル５０を、端部支持台４０及び中間支持台３０の間、並びに、隣接する中間支持台３０の間に配置することで、太陽光発電パネル５０の端部を、中間支持台３０の載置面３１１ｂ又は端部支持台４０の載置面４１１ｂに配置する。
【００６９】
この状態で、端部支持台４０においては、支持台端部規制部材４８により太陽光発電パネル５０の軒側への移動が規制されている。また、中間支持台３０においては、中間スペーサ固定金具３２が屋根体１３の傾斜方向にスライド移動可能な状態である。そのため、中間スペーサ固定金具３２を軒側へスライド移動させることで、太陽光発電パネル５０の配置位置を調整することができる。
【００７０】
そして、太陽光発電パネル５０の配置位置を調整した後に、中間パネル押さえ金具３４を中間スペーサ固定金具３２の上面板３２１ａにおいて、図３に示すように、ボルト部材３５をねじ込むことで、中間スペーサ固定金具３２の上面板３２１ａに形成される雌ネジ３２１ｂに、ボルト部材３５の先端をねじ込んで本固定する。また、端部パネル押さえ金具４４を端部固定金具４２の上面板４２１ａにおいて、図７に示すように、ボルト部材４５をねじ込むことで、端部固定金具４２の上面板４２１ａに形成される雌ネジ４２１ｂに、ボルト部材４５の先端をねじ込んで本固定する。このように、太陽光発電パネル５０における屋根体１３の傾斜方向の配置位置を調整した状態で、ボルト部材３５，４５で本固定することで、太陽光発電パネル５０の端部を、中間パネル押さえ金具３４又は端部パネル押さえ金具４４により押さえ付けることができる。
【００７１】
以上の本実施形態によれば、以下のような効果が奏される。
本実施形態の太陽光発電アレイ１は、複数の太陽光発電パネル５０と、複数の太陽光発電パネル５０を支持する中間支持台３０と、を備える太陽電池アレイ１であって、中間支持台３０は、屋根体１３に固定されると共に隣接する太陽光発電パネル５０の端部が上部に配置される中間支持金具３１と、一体部材で形成され、中間支持金具３１の上部において隣接する太陽光発電パネル５０の間に配置され、中間支持金具３１にスライド可能に取り付けられると共に、上面に雌ネジ３２１ｂを有する中間スペーサ固定金具３２と、中間スペーサ固定金具３２の上部に配置され、中間スペーサ固定金具３２の雌ネジ３２１ｂにおいてボルト部材３５により固定され、中間支持金具３１に配置された太陽光発電パネル５０の端部を上方側から押さえる中間パネル押さえ金具３４と、を有する。
【００７２】
そのため、中間スペーサ固定金具３２は、隣接する太陽光発電パネル５０のスペーサとしての機能と、中間パネル押さえ金具３４を雌ネジ３２１ｂにおいてボルト部材３５により固定する構成と、中間支持金具３１に対してスライド可能な構成と、を有して一体部材で形成される。そのため、複数の部品でこれらの構成を実現しなくてよいため、部品点数を低減できる。また、部品点数を低減できるため、部品を組み合わせる作業を必要としないため、施工性を向上できる。
【００７３】
また、本実施形態においては、中間スペーサ固定金具３２は、中空部分を有する形材により形成される。これにより、中間スペーサ固定金具３２を、押出し成形により、簡単に製造できる。また、中間スペーサ固定金具３２を中空部分を有する形材により形成したため、開放部分を有するよりも、強度を確保することができる。
【００７４】
また、本実施形態においては、中空部分は、屋根体１３の傾斜方向に貫通する。これにより、中間スペーサ固定金具３２の中空部分を屋根体１３の傾斜方向に貫通するように形成したため、押出し成形により押し出した後に、所定長さに切断することで、中間スペーサ固定金具３２を簡単に製造することができる。
【００７５】
なお、本発明は上記実施形態に限定されるものではなく、本発明の目的を達成できる範囲での変形、改良等は本発明に含まれる。
【符号の説明】
【００７６】
１  太陽光発電アレイ
１３  屋根体
２０  太陽光パネル架台
３０  中間支持台（第１支持部、太陽光パネル架台）
３１  中間支持金具（支持部材）
３２  中間スペーサ固定金具（スペーサ部材）
３４  中間パネル押さえ金具（押さえ部材）
３５  ボルト部材（締結部材）
５０  太陽光発電パネル（太陽光パネル）
３２１ｂ  雌ネジ（締結穴）
【図１】
2019173492.tif 000003
【図２】
2019173492.tif 000004
【図３】
2019173492.tif 000005
【図４】
2019173492.tif 000006
【図５】
2019173492.tif 000007
【図６】
2019173492.tif 000008
【図７】
2019173492.tif 000009
【図８】
2019173492.tif 000010
【図９】
2019173492.tif 000011
【図１０】
2019173492.tif 000012